(57)【要約】【課題】居住空間の居住者の利便性を向上させる技術を提供する。【解決手段】情報提供装置５０は、人が居住、宿泊、又は滞在するための建築物又は敷地を含む居住空間に存在する物に関する検知情報を取得する検知情報取得部６１と、検知情報取得部６１により取得された検知情報を記憶する検知情報保持部７４と、検知情報保持部７４に記憶された検知情報に基づいて提供情報を生成する提供情報生成部６３と、を備える。検知情報取得部６１は、居住空間に存在する物の位置に関する検知情報を取得し、提供情報生成部６３は、居住空間に存在する物の位置の時間変化の有無又は程度に基づいて提供情報を生成する。【選択図】図２
2020201538.tif 000002
【特許請求の範囲】
【請求項１】
人が居住、宿泊、又は滞在するための建築物又は敷地を含む居住空間に存在する物に関する検知情報を取得する取得部と、
前記取得部により取得された検知情報を記憶する記憶部と、
前記記憶部に記憶された検知情報に基づいて提供情報を生成する生成部と、
を備え、
前記取得部は、前記居住空間に存在する物の位置に関する検知情報を取得し、
前記生成部は、前記居住空間に存在する物の位置の時間変化の有無又は程度に基づいて前記提供情報を生成する情報提供装置。
【請求項２】
前記生成部は、前記居住空間に存在する物の位置と、その物の前記居住空間における基準位置との差異に基づいて前記提供情報を生成する請求項１に記載の情報提供装置。
【請求項３】
前記基準位置は、ユーザから指定され、又は、前記居住空間に存在する物の位置の時間変化の有無又は程度に基づいて判定される請求項２に記載の情報提供装置。
【請求項４】
前記取得部は、前記居住空間に存在する物の種類又は量に関する検知情報を更に取得し、
前記生成部は、前記居住空間に存在する物の種類又は量の時間変化の有無又は程度に更に基づいて前記提供情報を生成する請求項１から３のいずれかの情報提供装置。
【請求項５】
前記生成部は、前記居住空間の中の特定の領域に存在する物の種類又は量の時間変化の有無又は程度に基づいて前記提供情報を生成する請求項４に記載の情報提供装置。
【請求項６】
前記生成部は、複数の情報提供先のそれぞれについて、情報提供先に対応づけられた領域に存在する物の種類又は量の時間変化の有無又は程度に基づいて前記提供情報を生成する請求項５に記載の情報提供装置。
【請求項７】
前記生成部は、前記居住空間に設置された建材、家具、又は設備に載置又は収納された物の種類又は量の時間変化の有無又は程度に基づいて前記提供情報を生成する請求項５又は６に記載の情報提供装置。
【請求項８】
前記取得部は、前記居住空間に存在する物の状態に関する検知情報を更に取得し、
前記生成部は、前記居住空間に存在する物の状態の時間変化の有無又は程度に更に基づいて前記提供情報を生成する請求項１から７のいずれかに記載の情報提供装置。
【請求項９】
前記生成部は、前記居住空間に存在する物の状態と、その物の基準状態との差異に基づいて前記提供情報を生成する請求項８に記載の情報提供装置。
【請求項１０】
前記基準状態は、ユーザから指定され、又は、前記居住空間に存在する物の状態の時間変化の有無又は程度に基づいて判定される請求項９に記載の情報提供装置。
【請求項１１】
コンピュータを、
人が居住、宿泊、又は滞在するための建築物又は敷地を含む居住空間に存在する物に関する検知情報を取得する取得部、
前記取得部により取得された検知情報を記憶する記憶部、
前記記憶部に記憶された検知情報に基づいて提供情報を生成する生成部、
として機能させ、
前記取得部は、前記居住空間に存在する物の位置に関する検知情報を取得し、
前記生成部は、前記居住空間に存在する物の位置の時間変化の有無又は程度に基づいて前記提供情報を生成する情報提供プログラム。
【発明の詳細な説明】
【技術分野】
【０００１】
本発明は、情報提供技術に関し、とくに、居住空間に関する情報を提供する情報提供装置に関する。
【背景技術】
【０００２】
住宅は、人が生活するための重要な基盤である。安全で快適な生活を守るために、住宅のセキュリティ性を向上させるための様々な技術が提供されている（例えば、特許文献１参照）。
【０００３】
特許文献１には、ユーザが携帯している携帯情報端末と、携帯情報端末を携帯している人物、動物、もしくは人工物が部屋、もしくは建物を通過したことを検知し、前記ユーザの携帯情報端末に送信することを特徴とする入退室監視システムが開示されている。
【先行技術文献】
【特許文献】
【０００４】
【特許文献１】特開２００２−３２９２７７号公報
【発明の概要】
【発明が解決しようとする課題】
【０００５】
従来の住宅では、居住者の安全やプライバシーなどを保護するために、住宅内の生活を外部の社会から遮断するセキュリティ技術が重視されてきたが、未来の住宅では、より利便性の高い豊かな生活を実現するために、住宅内の生活と外部の社会とを連携する機能が求められるであろう。例えば、居住空間において、居住者以外の人が、家事代行、介護、宅配などのサービスを居住者に提供したり、民泊、貸駐車場などのサービスを居住者から享受したりすることが想定される。
【０００６】
このような新しい住宅の在り方を実現し、居住者の利便性を向上させるためには、居住空間に関する情報を適切に管理する技術が求められる。
【０００７】
本発明は、このような課題に鑑みてなされ、その目的は、居住空間の居住者の利便性を向上させる技術を提供することにある。
【課題を解決するための手段】
【０００８】
上記課題を解決するために、本発明のある態様の情報提供装置は、人が居住、宿泊、又は滞在するための建築物又は敷地を含む居住空間に存在する物に関する検知情報を取得する取得部と、取得部により取得された検知情報を記憶する記憶部と、記憶部に記憶された検知情報に基づいて提供情報を生成する生成部と、を備える。取得部は、居住空間に存在する物の位置に関する検知情報を取得し、生成部は、居住空間に存在する物の位置の時間変化の有無又は程度に基づいて提供情報を生成する。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、居住空間の居住者の利便性を向上させる技術を提供することができる。
【図面の簡単な説明】
【００１１】
【図１】実施の形態に係る空間管理システムの構成を示す図である。
【図２】実施の形態に係る空間管理装置の構成を示す図である。
【図３】条件保持部の内部データの例を示す図である。
【発明を実施するための形態】
【００１２】
上述したような新しい住宅の在り方を実現するために、実施の形態に係る情報提供装置は、居住者にサービスを提供するサービス提供者や、居住者からサービスを享受するサービス享受者などに、住宅内に存在する物に関する情報を提供する。本実施の形態の情報提供装置は、住宅内に存在する物に関する静的な情報だけでなく、住宅内の建材、家具、機器、設備などに設置されたセンサにより自動的かつ継続的に検知された検知情報の時間変化の有無又は程度に基づいて生成される提供情報を提供する。
【００１３】
居住空間内のプライバシーを適切に保護することも重要であるから、全ての検知情報を全てのサービス提供者又はサービス享受者に提供する必要はない。本実施の形態では、サービス提供者から居住者に提供されるサービスの内容や、居住者からサービス享受者に提供されるサービスの内容に応じて、必要とされる情報のみを的確に選別して提供する。これにより、居住者は安心して住宅内に存在する物に関する情報をサービス提供者やサービス享受者に提供して利用させることができるので、居住者の利便性を向上させ、豊かな暮らしを実現することができる。
【００１４】
このような情報提供技術は、住宅に限らず、宿泊施設、住宅や宿泊施設などに併設された駐車場や庭などの敷地、乳幼児や高齢者などを滞在させる施設など、人が居住、宿泊、又は滞在するための建築物又は敷地を含む任意の居住空間に適用することができるが、本実施の形態では、主に、住宅内の物に関する情報を管理する技術について説明する。
【００１５】
図１は、実施の形態に係る情報管理システムの構成を示す。情報管理システム１は、管理対象の居住空間の一例である住宅２と、住宅２に存在する物に関する検知情報から提供情報を生成して提供する情報提供装置５０とを備える。住宅２は、玄関３、洋室４、居室（ＬＤＫ）５、和室６、寝室７、トイレ８、浴室９、洗面室１０などの屋内の複数の領域と、駐車スペース１６などの屋外の複数の領域とを含む。
【００１６】
住宅２には、住宅２内に存在する物の位置や状態などの検知情報を検知するセンサの例として、撮像装置３０、重量センサ３１、ＲＦＩＤリーダー３２などが設置される。これらのセンサは、住宅２内に設置された建材、家具、機器、又は設備などに設置される。撮像装置３０は、住宅２内の画像を撮像する。撮像装置３０により撮像された画像は、情報提供装置５０により解析され、画像に写っている物の位置、種類、状態などが検知される。重量センサ３１は、収納棚の下面や床などに設置され、その上に存在する物の重量を検知する。ＲＦＩＤリーダー３２は、玄関３の扉１１、居室の扉、収納棚の扉又は枠などに設置され、出入りする物のＩＤを読み取る。検知装置として、その他の任意の形式の検知装置が住宅２に設置されてもよい。例えば、住宅２内に存在する機器又は設備に搭載された通信装置との間の通信により、その機器又は設備の位置や状態などを示す情報を取得してもよい。この場合、機器又は設備自体がセンサとして機能する。これらのセンサにより検知された情報は、無線通信によりホームサーバ４１に送信される。ホームサーバ４１は、収集された情報を、インターネット４０を介して情報提供装置５０に送信する。
【００１７】
図２は、実施の形態に係る情報提供装置の構成を示す。情報提供装置５０は、通信装置５１、表示装置５２、入力装置５３、制御装置６０、及び記憶装置７０を備える。情報提供装置５０は、サーバ装置であってもよいし、パーソナルコンピューターなどの装置であってもよいし、携帯電話端末、スマートフォン、タブレット端末などの携帯端末であってもよい。
【００１８】
通信装置５１は、インターネット４０などの通信網を介した他の装置との通信を制御する。通信装置５１は、有線又は無線の任意の通信方式により通信を行ってもよい。表示装置５２は、制御装置６０により生成される画面を表示する。表示装置５２は、液晶表示装置、有機ＥＬ表示装置などであってもよい。入力装置５３は、情報提供装置５０の使用者又は管理者による指示入力を制御装置６０に伝達する。入力装置５３は、マウス、キーボード、タッチパッドなどであってもよい。表示装置５２及び入力装置５３は、タッチパネルとして実装されてもよい。
【００１９】
記憶装置７０は、制御装置６０により使用されるプログラム、データなどを記憶する。記憶装置７０は、半導体メモリ、ハードディスクなどであってもよい。記憶装置７０は、ユーザデータベース７１、空間情報保持部７２、条件保持部７３、検知情報保持部７４、及び提供先情報保持部７５を備える。
【００２０】
ユーザデータベース７１は、情報提供装置５０を使用する居住者などのユーザの情報を格納する。空間情報保持部７２は、ユーザの住宅に関する情報を格納する。空間情報保持部７２は、例えば、住宅２の間取りなど、住宅２において区画された複数の領域の形状を表すデータや、住宅２に設置された建材、家具、機器、設備、収納などの位置及び形状などの情報や、撮像装置３０、重量センサ３１、ＲＦＩＤリーダー３２などのセンサの種類及び位置などの情報を格納する。
【００２１】
条件保持部７３は、センサにより検知された検知情報から生成される提供情報に関する条件を格納する。図３は、条件保持部７３の内部データの例を示す。条件保持部７３は、提供情報と、提供情報を生成するために使用する検知情報を、サービスごとに保持する。具体的な例については後述する。
【００２２】
検知情報保持部７４は、検知情報取得部６１により取得された検知情報を格納する。提供先情報保持部７５は、提供情報を提供するサービス提供者又はサービス享受者に関する情報を保持する。
【００２３】
制御装置６０は、検知情報取得部６１、検知情報解析部６２、提供情報生成部６３、条件設定部６４、基準位置設定部６５、基準状態設定部６６、及び情報提供部６７を備える。これらの構成は、ハードウエア的には、任意のコンピュータのＣＰＵ、メモリ、その他のＬＳＩなどにより実現され、ソフトウエア的にはメモリにロードされたプログラムなどによって実現されるが、ここではそれらの連携によって実現される機能ブロックを描いている。したがって、これらの機能ブロックがハードウエアのみ、またはハードウエアとソフトウエアの組合せなど、いろいろな形で実現できることは、当業者には理解されるところである。
【００２４】
検知情報取得部６１は、住宅２内に設置された検知装置により検知された検知情報を取得し、検知情報保持部７４に記録する。検知情報取得部６１は、ホームサーバ４１から検知情報を取得してもよいし、住宅２に設置された各検知装置から検知情報を直接取得してもよい。
【００２５】
検知情報解析部６２は、検知情報取得部６１により取得された検知情報を解析し、解析結果を検知情報保持部７４に記録する。検知情報解析部６２は、撮像装置により撮像された画像を解析し、画像に写っている物の種類、位置、状態などを取得する。検知情報解析部６２は、輪郭検出技術やパターンマッチングなどの技術を用いて画像に写っている物を抽出し、抽出された物の種類、位置、状態などを取得してもよい。検知情報解析部６２は、重量センサ３１により検知された重量に基づいて、その上に存在する物の種類や量などを取得する。検知情報解析部６２は、ＲＦＩＤリーダー３２により検知されたＲＦＩＤに基づいて、出入りした物の種類や量などを取得する。
【００２６】
提供情報生成部６３は、条件保持部７３に保持された条件を参照し、検知情報保持部７４に保持された検知情報及び解析結果から提供情報を生成する。
【００２７】
条件設定部６４は、ユーザから、提供情報を提供する提供先に関する情報と、その提供先に提供する提供情報の内容を受け付け、受け付けた情報を条件保持部７３及び提供先情報保持部７５に記録する。
【００２８】
基準位置設定部６５は、提供情報生成部６３が、居住空間に存在する物の位置と、その物の居住空間における基準位置との差異に基づいて提供情報を生成する場合に、予めその物の基準位置を設定する。基準位置は、ユーザから指定されてもよいし、居住空間に存在する物の位置の時間変化の有無又は程度に基づいて判定されてもよい。後者の場合、基準位置設定部６５は、所定の条件に基づいて物の基準位置を設定する。例えば、所定の時点における物の位置を基準位置としてもよい。また、所定の期間中における滞在時間が最も長い位置を基準位置としてもよい。
【００２９】
基準状態設定部６６は、提供情報生成部６３が、居住空間に存在する物の状態と、その物の基準状態との差異に基づいて提供情報を生成する場合に、予めその物の基準状態を設定する。基準状態は、ユーザから指定されてもよいし、居住空間に存在する物の状態の時間変化の有無又は程度に基づいて判定されてもよい。後者の場合、基準状態設定部６６は、所定の条件に基づいて物の基準状態を設定する。例えば、所定の時点における物の状態を基準状態としてもよい。また、所定の期間中における継続時間が最も長い状態を基準状態としてもよい。
【００３０】
情報提供部６７は、提供先情報保持部７５を参照して、提供情報生成部６３により生成された提供情報を所定の提供先に提供する。情報提供部６７は、提供先の装置やメールアドレスに宛てて提供情報を送信してもよい。また、表示装置５２や、住宅２内に設置された表示装置などに提供情報を表示してもよい。
【００３１】
図３を参照して、具体的なサービスと提供情報の例について説明する。具体的な例は、（１）居住空間に存在する物の位置の時間変化に関する情報を提供する例、（２）居住空間に存在する物の種類又は量の時間変化に関する情報を提供する例、（３）居住空間に存在する物の状態の時間変化に関する情報を提供する例に大別される。
【００３２】
（１）物の位置の時間変化
このカテゴリに属する例では、検知情報取得部６１は、居住空間に存在する物の位置に関する検知情報を取得し、提供情報生成部６３は、居住空間に存在する物の位置の時間変化の有無又は程度に基づいて提供情報を生成する。
【００３３】
（１−１：民泊）
この例では、居室の一部又は全部を外部のサービス享受者に賃貸する民泊などのサービスや、駐車スペース１６を外部のサービス享受者に一時的に賃貸するサービスなどが居住者により提供される。検知情報取得部６１は、サービス享受者が進入可能な部屋や駐車場などの壁、天井、廻り縁、廊下などに設置された撮像装置により撮像された画像や、測距機能を有する撮像装置により撮像された三次元画像などを取得する。提供情報生成部６３は、サービス享受者が居室や駐車スペース１６などを使用した後に撮像された画像又は三次元画像に基づいて、居住空間に存在する物がそれぞれの基準位置にあるか否かを示す提供情報を居住者及びサービス享受者に提供する。これにより、サービス享受者が退去した後の居住空間の散らかり度合いを示す客観的な評価指標や、居住空間にあった備品や機器などが定位置に戻されているか、持ち出されていないかなどを示す情報が提供されるので、サービス享受者による適切な利用を促進することができる。
【００３４】
（１−２：清掃）
この例では、家事代行業者が居住空間を清掃したり、民泊を利用したサービス享受者が退去した後に清掃業者が部屋を清掃したりするサービスが居住者に提供される。検知情報取得部６１は、各部屋の壁、天井、廻り縁、廊下などに設置された撮像装置により撮像された画像や、測距機能を有する撮像装置により撮像された三次元画像などを取得する。提供情報生成部６３は、清掃の前後に撮像装置により撮像された画像などに基づいて、居住空間に存在する物がそれぞれの基準位置にあるか否かを示す提供情報を居住者及びサービス提供者に提供する。これにより、清掃の前後における居住空間の汚れ度合いを示す客観的な評価指標や、居住空間にあった備品や機器などが定位置に戻されているか、持ち出されていないかなどを示す情報が提供されるので、サービス提供者による適切な清掃を促進することができる。
【００３５】
（１−３：片付け）
この例では、家事代行業者が居住空間を片付けたり、民泊を利用したサービス享受者が退去した後に片付け管理業者が部屋を片付けたりするサービスが居住者に提供される。検知情報取得部６１は、各部屋や廊下の床などに設置された重量センサにより検知された重量などを取得する。提供情報生成部６３は、片付けの前後の重量などに基づいて、居住空間に存在する物がそれぞれの基準位置にあるか否かを示す提供情報を居住者及びサービス提供者に提供する。これにより、片付けの前後における居住空間の散らかり度合いを示す客観的な評価指標や、居住空間にあった物が定位置に戻されているか、持ち出されていないかなどを示す情報が提供されるので、サービス提供者による適切な片付けを促進することができる。
【００３６】
（２）物の種類又は量の時間変化
このカテゴリに属する例では、検知情報取得部６１は、居住空間に存在する物の種類又は量に関する検知情報を取得し、提供情報生成部６３は、居住空間に存在する物の種類又は量の時間変化の有無又は程度に基づいて提供情報を生成する。提供情報生成部６３は、例えば、居住空間に設置された建材、家具、又は設備に載置又は収納された物の種類又は量の時間変化の有無又は程度に基づいて提供情報を生成する。
【００３７】
（２−１：収納領域の貸出し）
この例では、住宅２内の玄関などに設置された収納ボックスなどの収納領域に外部の業者が薬品、介護用品、食品、飲料、消費財などを収納して居住者に販売したり貸し出したりするサービスが居住者に提供される。検知情報取得部６１は、収納領域に設置された撮像装置により撮像された画像や、収納領域の底面に設置された重量センサにより検知された重量や、収納領域の枠や扉などに設置されたＲＦＩＤリーダーにより検知された通過物のＩＤなどを取得する。提供情報生成部６３は、収納領域に収納されている物のＩＤ、出入り、在庫、滞在時間、不足量などの提供情報をサービス提供者に提供する。これにより、サービス提供者は、住宅２を訪問しなくても、住宅２内の収納領域の状況を的確に把握することができるので、収納領域に在庫を補充したり、別の物の納入を提案したり、居住者により消費又は使用された物に対して課金したりすることができる。複数の収納領域が複数の業者のそれぞれに対応づけられてもよい。この場合、提供情報生成部６３は、複数の情報提供先のそれぞれについて、情報提供先に対応づけられた領域に存在する物の種類又は量の時間変化の有無又は程度に基づいて提供情報を生成する。
【００３８】
（２−２：未利用品の預かり）
この例では、居住者が利用していない物を外部の倉庫業者が預かって保管するサービスが居住者に提供される。検知情報取得部６１は、住宅２内の収納領域に設置された撮像装置により撮像された画像や、収納領域の底面に設置された重量センサにより検知された重量や、収納領域の枠や扉などに設置されたＲＦＩＤリーダーにより検知された通過物のＩＤなどを取得する。提供情報生成部６３は、収納領域に収納されている物のＩＤ、出入り、利用履歴などの提供情報をサービス提供者に提供する。これにより、サービス提供者は、住宅２内の収納領域に収納された物の利用状況を把握することができるので、利用頻度が低い物の保管を居住者に提案することができる。
【００３９】
（２−３：地域備蓄）
この例では、地域に居住する居住者が備蓄している防災品や飲食物などを統括的に管理する行政サービスが提供される。検知情報取得部６１は、住宅２内の収納領域に設置された撮像装置により撮像された画像や、収納領域の底面に設置された重量センサにより検知された重量や、収納領域の枠や扉などに設置されたＲＦＩＤリーダーにより検知された通過物のＩＤなどを取得する。提供情報生成部６３は、収納領域に収納されている物のＩＤ、出入り、在庫、滞在時間などの提供情報をサービス提供者に提供する。これにより、地域の防災を管理する自治体は、地域内の住宅２に備蓄された物の数量や消費期限などを把握することができるので、防災品や飲食物などの地域内の備蓄量を適切に管理することができる。また、必要に応じて、備蓄の追加や、消費期限が到来した飲食物などの買い換えなどを居住者に提案することができる。情報提供装置５０が居住者に代わって防災品や飲食物を自動発注してもよい。
【００４０】
（２−４：衣料品の提案又は貸与）
この例では、居住者が使用する衣料品などの物品を提案又は貸与するサービスが居住者に提供される。検知情報取得部６１は、住宅２内の収納領域に設置された撮像装置により撮像された画像や、収納領域の底面に設置された重量センサにより検知された重量や、収納領域の枠や扉などに設置されたＲＦＩＤリーダーにより検知された通過物のＩＤなどを取得する。提供情報生成部６３は、収納領域に収納されている衣料品などの物品のＩＤ、数量、出入り、使用履歴などの提供情報をサービス提供者に提供する。これにより、サービス提供者は、居住者が所有する物品の種類や数量、居住者による物品の使用状況、居住者の物品に関する嗜好などを的確に把握することができるので、居住者に販売又は貸与する物品の候補を的確に選択し、居住者に提案することができる。また、物品を居住者に貸与する場合、居住者による物品の使用状況に応じて使用料を課金することができる。
【００４１】
（２−５：宅配物の自動受け取り）
この例では、居住者に配達される宅配物を自動的に受け取るサービスが居住者に提供される。検知情報取得部６１は、住宅２の玄関などに設置された撮像装置により撮像された画像や、住宅２の玄関などに設置された宅配ボックスの底面に設置された重量センサにより検知された重量や、宅配ボックスの枠や扉などに設置されたＲＦＩＤリーダーにより検知された宅配物のＩＤなどを取得する。提供情報生成部６３は、宅配物のＩＤや受取時刻などの提供情報を居住者及びサービス提供者に提供する。これにより、居住者は、不在の場合でも宅配物を受領することができる。
【００４２】
（２−６：食料品の自動発注）
この例では、住宅２内のキッチンなどに設置された冷蔵庫や食料品の収納領域などに保管された食料品や調味料などの在庫を管理するサービスが居住者に提供される。検知情報取得部６１は、住宅２内のキッチンに設置された撮像装置により撮像された画像や、冷蔵庫や収納領域などの底面に設置された重量センサにより検知された重量や、冷蔵庫や収納領域の枠や扉などに設置されたＲＦＩＤリーダーにより検知された通過物のＩＤなどを取得する。提供情報生成部６３は、冷蔵庫や収納領域に収納されている食料品や調味料などのＩＤ、数量、出入り、使用頻度、利用時間、消費期限などの提供情報をサービス提供者に提供する。これにより、サービス提供者は、居住者が所有する食料品や調味料などの種類、数量、使用量などを的確に把握することができるので、必要な食料品や調味料などを自動的に発注して在庫を補充することができる。
【００４３】
（２−７：レシピの提案）
この例では、居住者が調理又は摂食する料理の候補を提案するサービスが居住者に提供される。検知情報取得部６１は、住宅２内のキッチン又はダイニングルームなどに設置された撮像装置により撮像された画像や、住宅２内の食料品や調味料などを収納する冷蔵庫や収納領域などの底面に設置された重量センサにより検知された重量や、冷蔵庫や収納領域の枠や扉などに設置されたＲＦＩＤリーダーにより検知された通過物のＩＤなどを取得する。提供情報生成部６３は、冷蔵庫や収納領域に収納されている食料品や調味料などのＩＤ、数量、出入り、滞在時間、居住者が調理又は摂食した料理の種類、量などの提供情報をサービス提供者に提供する。これにより、サービス提供者は、居住者が所有する食料品や調味料などの種類や数量、居住者が調理又は摂食した料理の履歴、居住者の料理に関する嗜好などを的確に把握することができるので、居住者が調理又は摂食する料理の候補を的確に選択し、居住者に提案することができる。
【００４４】
（３）物の状態の時間変化
このカテゴリに属する例では、検知情報取得部６１は、居住空間に存在する物の種類又は量に関する検知情報を取得し、提供情報生成部６３は、居住空間に存在する物の種類又は量の時間変化の有無又は程度に更に基づいて提供情報を生成する。
【００４５】
（３−１：清掃）
この例では、家事代行業者が居住空間を清掃したり、民泊を利用したサービス享受者が退去した後に清掃業者が部屋を清掃したりするサービスが居住者に提供される。検知情報取得部６１は、部屋の壁、天井、床、キッチン、トイレ、家具、窓などに設置された撮像装置により撮像された画像や、汚れセンサにより検知された汚れ度合いを示す情報などを取得する。提供情報生成部６３は、汚れの種類及び程度を示す提供情報を居住者及びサービス提供者に提供する。これにより、清掃の前後における居住空間の汚れ度合いを示す客観的な評価指標を示す情報が提供されるので、サービス提供者による適切な清掃を促進することができる。
【００４６】
（３−２：機器又は設備の保守）
この例では、住宅２内の家具、機器、又は設備の製造者や保守業者などがそれらを保守するサービスが居住者に提供される。検知情報取得部６１は、家具、機器、又は設備に設置又は搭載されたセンサからそれらの状態を示す情報などを取得する。提供情報生成部６３は、家具、機器、又は設備の劣化の度合いや種類、異常状態の発生の履歴又は予測、耐久性の予測などの提供情報を居住者及びサービス提供者に提供する。これにより、清掃の前後における居住空間の汚れ度合いを示す客観的な評価指標を示す情報が提供されるので、サービス提供者による適切な清掃を促進することができる。
【００４７】
以上の例により示されるように、本実施の形態の技術によれば、住宅内の建材、家具、機器、設備などに設置されたセンサにより自動的に検知される検知情報を継続的に収集し、住宅内に存在する物の位置、状態、種類、量の時間変化の有無又は程度に基づいて、情報提供先に応じた提供情報を生成して提供するので、居住者と外部のサービス提供者又はサービス享受者とが互いに連携して豊かな暮らしを構築するのを支援することができる。
【００４８】
本実施の形態では、複数の住宅を統括的に管理する情報提供装置５０を設ける例を説明したが、住宅ごとに情報提供装置５０が設けられてもよい。この場合、例えば、ホームサーバ４１が情報提供装置５０の機能を備えてもよい。ホームサーバ４１と情報提供装置５０とで機能を分担してもよい。例えば、住宅２の居住者又は管理者の個人情報などの公開すべきでない情報はホームサーバ４１が管理し、サービス提供者やサービス享受者が入出力する情報は情報提供装置５０が管理してもよい。これにより、情報のセキュリティ性も向上させることができる。別の例では、ホームサーバ４１が設けられなくてもよい。この場合、センサ、機器、設備などは、直接、情報提供装置５０との間で通信を行う。
【００４９】
以上の実施形態、変形例により具体化される発明を一般化すると、以下の技術的思想が導かれる。
【００５０】
本発明のある態様の情報提供装置は、人が居住、宿泊、又は滞在するための建築物又は敷地を含む居住空間に存在する物に関する検知情報を取得する取得部と、取得部により取得された検知情報を記憶する記憶部と、記憶部に記憶された検知情報に基づいて提供情報を生成する生成部と、を備え、取得部は、居住空間に存在する物の位置に関する検知情報を取得し、生成部は、居住空間に存在する物の位置の時間変化の有無又は程度に基づいて提供情報を生成する。この態様によると、居住空間に存在する物の位置の時間変化に関する情報をサービス提供者やサービス享受者などに提供することにより、サービスの質を向上させることができるので、居住者の利便性を向上させることができる。
【００５１】
生成部は、居住空間に存在する物の位置と、その物の居住空間における基準位置との差異に基づいて提供情報を生成してもよい。この態様によると、居住者の利便性を向上させることができる。
【００５２】
基準位置は、ユーザから指定され、又は、居住空間に存在する物の位置の時間変化の有無又は程度に基づいて判定されてもよい。この態様によると、居住者の利便性を向上させることができる。
【００５３】
取得部は、居住空間に存在する物の種類又は量に関する検知情報を更に取得し、生成部は、居住空間に存在する物の種類又は量の時間変化の有無又は程度に更に基づいて提供情報を生成してもよい。この態様によると、居住空間に存在する物の種類又は量の時間変化に関する情報をサービス提供者やサービス享受者などに提供することにより、サービスの質を向上させることができるので、居住者の利便性を向上させることができる。
【００５４】
生成部は、居住空間の中の特定の領域に存在する物の種類又は量の時間変化の有無又は程度に基づいて提供情報を生成してもよい。この態様によると、居住者のプライバシーを適切に保護しつつ、居住者の利便性を向上させることができる。
【００５５】
生成部は、複数の情報提供先のそれぞれについて、情報提供先に対応づけられた領域に存在する物の種類又は量の時間変化の有無又は程度に基づいて提供情報を生成してもよい。この態様によると、居住者の利便性を向上させることができる。
【００５６】
生成部は、居住空間に設置された建材、家具、又は設備に載置又は収納された物の種類又は量の時間変化の有無又は程度に基づいて提供情報を生成してもよい。この態様によると、居住者の利便性を向上させることができる。
【００５７】
取得部は、居住空間に存在する物の状態に関する検知情報を更に取得し、生成部は、居住空間に存在する物の状態の時間変化の有無又は程度に更に基づいて提供情報を生成してもよい。この態様によると、居住空間に存在する物の状態の時間変化に関する情報をサービス提供者やサービス享受者などに提供することにより、サービスの質を向上させることができるので、居住者の利便性を向上させることができる。
【００５８】
生成部は、居住空間に存在する物の状態と、その物の基準状態との差異に基づいて提供情報を生成してもよい。この態様によると、居住者の利便性を向上させることができる。
【００５９】
基準状態は、ユーザから指定され、又は、居住空間に存在する物の状態の時間変化の有無又は程度に基づいて判定されてもよい。この態様によると、居住者の利便性を向上させることができる。
【００６０】
本発明の別の態様の情報提供プログラムは、コンピュータを、人が居住、宿泊、又は滞在するための建築物又は敷地を含む居住空間に存在する物に関する検知情報を取得する取得部、取得部により取得された検知情報を記憶する記憶部、記憶部に記憶された検知情報に基づいて提供情報を生成する生成部、として機能させ、取得部は、居住空間に存在する物の位置に関する検知情報を取得し、生成部は、居住空間に存在する物の位置の時間変化の有無又は程度に基づいて提供情報を生成する。この態様によると、居住空間に存在する物の位置の時間変化に関する情報をサービス提供者やサービス享受者などに提供することにより、サービスの質を向上させることができるので、居住者の利便性を向上させることができる。
【符号の説明】
【００６１】
１  情報管理システム、３０  撮像装置、３１  重量センサ、３２  ＲＦＩＤリーダー、５０  情報提供装置、６０  制御装置、６１  検知情報取得部、６２  検知情報解析部、６３  提供情報生成部、６４  条件設定部、６５  基準位置設定部、６６  基準状態設定部、６７  情報提供部、７０  記憶装置、７１  ユーザデータベース、７２  空間情報保持部、７３  条件保持部、７４  検知情報保持部、７５  提供先情報保持部。
【図１】
2020201538.tif 000003
【図２】
2020201538.tif 000004
【図３】
2020201538.tif 000005